(57)【要約】【課題】ゴルフクラブのシャフトに装着する場合に、そのシャフトに挿入し難くなるようなことはなく、さらにそのシャフト内に雨水などの水分が入るようなことがないゴルフクラブ用グリップを提供する。【解決手段】ゴルフクラブのシャフトＳに挿脱自在として装着される筒状のグリップ本体１を備え、このグリップ本体１は、ゴルフクラブのシャフトＳが挿入されるシャフト挿入孔２を有しており、前記グリップ本体１のグリップエンド１ａには、シャフト挿入孔２に挿入された前記シャフトＳの端部が当接する当接部３が設けられ、前記グリップ本体１のグリップヘッド１ｂには、シャフト挿入孔２を外部に向けて開放する開口部４が設けられており、前記グリップ本体１のグリップエンド１ａの当接部３に接触または接近して、このグリップ本体１にはシャフト挿入孔２に連通するエア抜き孔５が設けられている。【選択図】図２
2019130205.tif 000002
【特許請求の範囲】
【請求項１】
ゴルフクラブのシャフト（Ｓ）に挿脱自在として装着される筒状のグリップ本体（１）を備え、このグリップ本体（１）は、ゴルフクラブのシャフト（Ｓ）が挿入されるシャフト挿入孔（２）を有しており、前記グリップ本体（１）のグリップエンド（１ａ）には、シャフト挿入孔（２）に挿入された前記シャフト（Ｓ）の端部が当接する当接部（３）が設けられ、前記グリップ本体（１）のグリップヘッド（１ｂ）には、シャフト挿入孔（２）を外部に向けて開放する開口部（４）が設けられており、前記グリップ本体（１）のグリップエンド（１ａ）の当接部（３）に接触または接近して、このグリップ本体（１）にはシャフト挿入孔（２）に連通するエア抜き孔（５）が設けられていることを特徴とするゴルフクラブ用グリップ。
【請求項２】
前記エア抜き孔（５）は、前記当接部（３）からの距離（Ｌ）を０〜１０ｍｍとした位置に設けられていることを特徴とする請求項１記載のゴルフクラブ用グリップ。
【請求項３】
前記エア抜き孔（５）には、着脱自在とした栓体（７）が取り付けられていることを特徴とする請求項１または２記載のゴルフクラブ用グリップ。
【請求項４】
前記エア抜き孔（５）は、直径が１〜５ｍｍの円柱形状または円錐台形状としていることを特徴とする請求項１〜３のいずれかに記載のゴルフクラブ用グリップ。
【請求項５】
前記エア抜き孔（５）は、前記グリップ本体（１）の周囲に沿って複数個、設けられていることを特徴とする請求項１〜４のいずれかに記載のゴルフクラブ用グリップ。
【請求項６】
前記栓体（７）は、ゴムまたは軟質樹脂からなり、前記エア抜き孔（５）に圧縮嵌合されるようにして取り付けられていることを特徴とする請求項３記載のゴルフクラブ用グリップ。
【発明の詳細な説明】
【技術分野】
【０００１】
この発明は、ゴルフクラブのシャフトに装着されるゴルフクラブ用グリップに関するものである。
【背景技術】
【０００２】
従来のゴルフクラブ用グリップとしては、ゴムや合成樹脂からなるものが存在する。例えば、図１１に示したように、グリップ本体１１の一方端部１１ａには、シャフト挿入孔１２を外部に向けて開放する開口部１３が設けられており、グリップ本体１１の他方端部１１ｂには、シャフト挿入孔１２に挿入されたシャフト（図示せず）の一方端部が当接される当接部１４が設けられている。そして、当接部１４の中央部には、シャフト挿入孔１２の内側空間と外側空間とを連通させるためのエア抜き孔１５が設けられているものが存在する（特許文献１）。
【０００３】
さらに、従来のゴルフクラブ用グリップは、図１２に示したように、グリップ本体２１は中空構造を有し、グリップエンド２１ａからグリップヘッド２１ｂに向けて順次縮径するほぼテーパ状の外形を有する。そして、グリップヘッド２１ｂにはシャフト挿入孔２２が形成され、グリップエンド２１ａにはエア抜き孔２３が設けられているものが存在する（特許文献２）。
【０００４】
また、従来のゴルフクラブ用グリップとしては、図１３に示したように、グリップヘッド３１からグリップエンド３２に向かって、シャフトＳのグリップ部ｇを挿入する有底のシャフト挿入孔３３が設けられている。そして、グリップエンド３２の中心には、シャフト挿入孔３３に連通するエア抜き孔３４が設けられているものが存在する（特許文献３）。
【先行技術文献】
【特許文献】
【０００５】
【特許文献１】特開２０１７−１５８６６７号公報
【特許文献２】実用新案登録第３１４３７９４号公報
【特許文献３】特開２００７−２２２４４５号公報
【発明の概要】
【発明が解決しようとする課題】
【０００６】
上記従来のゴルフクラブ用グリップに設けられたそれぞれのエア抜き孔１５、２３、３４は、ゴルフクラブのシャフトにグリップを装着する場合に、何れもグリップ内に空気が圧縮されてシャフトが挿入し難くなるのを防止するために設けられたものである。
【０００７】
しかしながら、雨天時にゴルフを行う場合には、前記エア抜き孔１５、２３、３４から、降った雨水が直接、シャフト内部に入り込んだり、濡れた芝生などにゴルフクラブを置いたり、雨天時にできた水たまりなどに誤って、ゴルフクラブを落としてしまったりすると、雨水がシャフト内部に入り込んだりすることがある。
【０００８】
そうすると、その後の使用時や次回の使用時までに、雨水が乾燥せず、シャフト内に入ったままプレーをしたり、ゴルフクラブを長年使用しているとシャフト内に錆が生じたりするため、スイングに支障をきたしたり、シャフトが劣化したりするという課題を有していた。
【０００９】
そこで、この発明は、上記従来の課題を解決するものであり、ゴルフクラブのシャフトにグリップを装着する場合に、グリップ内に空気が圧縮されることなくシャフトが挿入し難くなるようなことはなく、雨天時などの使用にもゴルフクラブのシャフト内に雨水が入るようなことはなく、スイングに支障をきたすことがなく、シャフトが劣化したりすることのないゴルフクラブ用グリップを提供することを目的としてなされたものである。
【課題を解決するための手段】
【００１０】
そのため、この発明のゴルフクラブ用グリップは、ゴルフクラブのシャフトＳに挿脱自在として装着される筒状のグリップ本体１を備え、このグリップ本体１は、ゴルフクラブのシャフトＳが挿入されるシャフト挿入孔２を有しており、前記グリップ本体１のグリップエンド１ａには、シャフト挿入孔２に挿入された前記シャフトＳの端部が当接する当接部３が設けられ、前記グリップ本体１のグリップヘッド１ｂには、シャフト挿入孔２を外部に向けて開放する開口部４が設けられており、前記グリップ本体１のグリップエンド１ａの当接部３に接触または接近して、このグリップ本体１にはシャフト挿入孔２に連通するエア抜き孔５が設けられている。
【００１１】
この発明のゴルフクラブ用グリップにおいて、前記エア抜き孔５は、前記当接部３からの距離Ｌを０〜１０ｍｍとした位置に設けられている。
【００１２】
この発明のゴルフクラブ用グリップにおいて、前記エア抜き孔５には、着脱自在とした栓体７が取り付けられている。
【００１３】
この発明のゴルフクラブ用グリップにおいて、前記エア抜き孔５は、直径が１〜５ｍｍの円柱形状または円錐台形状としている。
【００１４】
この発明のゴルフクラブ用グリップにおいて、前記エア抜き孔５は、前記グリップ本体１の周囲に沿って複数個、設けられている。
【００１５】
この発明のゴルフクラブ用グリップにおいて、前記栓体７は、ゴムまたは軟質樹脂からなり、前記エア抜き孔５に圧縮嵌合されるようにして取り付けられている。
【発明の効果】
【００１６】
この発明のゴルフクラブ用グリップは、ゴルフクラブのシャフトに装着する場合にはシャフト本体に設けたエア抜き孔から空気が抜けていくので、グリップ内に空気が圧縮されることなくシャフトが挿入し難くなるようなことはない。
【００１７】
さらに、この発明のゴルフクラブ用グリップは、ゴルフクラブのシャフトに装着した状態では、エア抜き孔がシャフトの側周面で塞がれるので、雨天時などの使用にもゴルフクラブのシャフト内に雨水が入るようなことはなく、スイングに支障をきたすことがなく、シャフトが劣化したりするようなこともない。
【００１８】
また、この発明のゴルフクラブ用グリップは、エア抜き孔に栓体を圧縮嵌合させたものでは、エア抜き孔が目立たないものとなり、外観を損ねるようなことがない。
【図面の簡単な説明】
【００１９】
【図１】この発明のゴルフクラブ用グリップの第一実施形態の斜視図である。
【図２】この発明のゴルフクラブ用グリップの第一実施形態の縦断面図である。
【図３】この発明のゴルフクラブ用グリップの第二実施形態の縦断面図である。
【図４】この発明の第一実施形態のゴルフクラブ用グリップをゴルフクラブのシャフトに装着した状態の縦断面図である。
【図５】この発明の第二実施形態のゴルフクラブ用グリップをゴルフクラブのシャフトに装着した状態の縦断面図である。
【図６】この発明のゴルフクラブ用グリップの第三実施形態の斜視図である。
【図７】この発明のゴルフクラブ用グリップの第三実施形態の縦断面図である。
【図８】この発明のゴルフクラブ用グリップの第四実施形態の縦断面図である。
【図９】この発明の第三実施形態のゴルフクラブ用グリップをゴルフクラブのシャフトに装着した状態の縦断面図である。
【図１０】この発明の第四実施形態のゴルフクラブ用グリップをゴルフクラブのシャフトに装着した状態の縦断面図である。
【図１１】従来のゴルフクラブ用グリップの一例を示す縦断面図である。
【図１２】従来のゴルフクラブ用グリップの他の例を示す縦断面図である。
【図１３】従来のゴルフクラブ用グリップのさらに他の例を示す縦断面図である。
【発明を実施するための形態】
【００２０】
以下、この発明のゴルフクラブ用グリップを実施するための形態を、図面に基づいて詳細に説明する。
【００２１】
この発明のゴルフクラブ用グリップは、ゴルフクラブのシャフトＳに挿脱自在として装着される筒状のグリップ本体１を備えている。そして、このグリップ本体１は、ゴルフクラブのシャフトＳが挿入されるシャフト挿入孔２を有している。
【００２２】
前記グリップ本体１は、天然ゴム、合成ゴム、軟質樹脂等のゴム弾性を有する素材によって筒状に形成されており、ゴルフクラブのシャフトＳにゴム弾性力をもって挿脱自在として装着される。
【００２３】
前記グリップ本体１のグリップエンド１ａには、シャフト挿入孔２に挿入されたシャフトＳの端部が当接する当接部３が設けられ、グリップ本体１のグリップヘッド１ｂには、シャフト挿入孔２を外部に向けて開放する開口部４が設けられている。
【００２４】
さらに、前記グリップエンド１ａの当接部３に接触または接近して、前記グリップ本体１にはシャフト挿入孔２に連通するエア抜き孔５が設けられている。好ましくは、前記エア抜き孔５は、グリップエンド１ａの当接部３からの距離Ｌを０〜１０ｍｍとした位置に設けられている。
【００２５】
この発明のゴルフクラブ用グリップにおいて、前記グリップ本体１のグリップエンド１ａは、図２、７に示したように、エンドキャップ６を付けて一体的に成形したものとしたり、図３、８に示したように、エンドキャップ６を付けることなく一体的に成形したものとしている。
【００２６】
そして、この発明のゴルフクラブ用グリップにおいて、前記グリップ本体１のエア抜き孔５は、図１〜３に示したように、常に開口させたものとしてもよいが、図６〜８に示したように、着脱自在とした栓体７が取り付けられることにより、ゴルフクラブの使用時などには塞口させたものとしてもよい。
【００２７】
さらに、前記エア抜き孔５は、図示したように、直径が１〜５ｍｍの円柱形状または円錐台形状としており、一個所に設けられたものとしているが、このような円柱形状や円錐台形状に限定されることはない。例えば、前記エア抜き孔５は、鉤形状や槍形状などとすることができる。また、前記エア抜き孔５は、グリップ本体１の周囲に沿って複数個、設けられたものとしてもよい。
【００２８】
前記栓体７は、ゴムまたは軟質樹脂等からなり、前記エア抜き孔５より少し大きい円柱形状または円錐台形状としており、このエア抜き孔５に圧縮嵌合されるようにして取り付けられている。このようにすることにより、前記栓体７は、ゴルフクラブの使用時にグリップ本体１から不用意に外れないものとなる。
【００２９】
なお、前記栓体７は、エア抜き孔５を鉤形状や槍形状にした場合には、その鉤形状や槍形状に対応する鉤形状や槍形状にすることができる。この場合は、前記栓体７をエア抜き孔５より少し大きい鉤形状や槍形状にしなくても、ゴルフクラブの使用時にグリップ本体１から不用意に外れないものとなる。
【００３０】
以上のように構成されたこの発明のゴルフクラブ用グリップは、以下に述べるようにして、ゴルフクラブのシャフトに装着される。
【００３１】
先ず、図１〜３に示したこの発明のゴルフクラブ用グリップでは、グリップ本体１の開口部４にゴルフクラブのシャフトＳの先端を合致させる。そして、このシャフトＳをシャフト挿入孔２内に挿入していき、図４、５に示したように、そのシャフトＳの先端がグリップエンド１ａの当接部３に当接するまで挿入する。
【００３２】
次に、図６〜８に示したこの発明のゴルフクラブ用グリップでも、同様にグリップ本体１の開口部４にゴルフクラブのシャフトＳの先端を合致させる。そして、このシャフトＳをシャフト挿入孔２内に挿入していき、そのシャフトＳの先端がグリップエンド１ａの当接部３に当接するまで挿入する。
【００３３】
この発明のゴルフクラブ用グリップでは、このようにしてゴルフクラブのシャフトＳに挿入されるとき、グリップ本体１のグリップエンド１ａ側がエア抜き孔５によって開放されているので、ゴルフクラブのシャフトＳをグリップ本体１の開口部４から当接部に向かってシャフト挿入孔２に挿入しても、そのシャフト挿入孔２内の空気は圧縮されず、エア抜き孔５から逃げていくので、シャフトＳが挿入し難くなるようなことはない。
【００３４】
そして、この発明のゴルフクラブ用グリップでは、ゴルフクラブのシャフトＳに挿入された後は、エア抜き孔５がシャフトＳの先端または先端近くの側周面によって塞口されるので、雨水などの水分がこのエア抜き孔５からシャフトＳ内に入ることがなく、シャフトＳ内部が錆びるなどして劣化するようなことはない。
【００３５】
また、図６〜８に示したこの発明のゴルフクラブ用グリップでは、前記したようにゴルフクラブのシャフトＳに挿入された後のエア抜き孔５に、図９、１０に示したように、着脱自在とした栓体７が圧縮嵌合されるようにして取り付けられている。このようにすることにより、エア抜き孔５が目立たなくなり、グリップ本体１の外観を損ねることがなくなる。
【００３６】
なお、この発明のゴルフクラブ用グリップをゴルフクラブのシャフトＳから脱着する場合には、図１〜３示したものでは、グリップ本体１を握って、そのままシャフトＳから引き抜けばよく、図４〜６に示したものでも、エア抜き孔５から栓体７を抜いた後に、グリップ本体１を握って、シャフトＳから引き抜けばよい。
【００３７】
そして、この発明のゴルフクラブ用グリップでは、このようにしてゴルフクラブのシャフトＳから引き抜かれるとき、エア抜き孔５からグリップ本体１内に空気が引き込まれるので、シャフト挿入孔２内の空気は減圧されることなく、シャフトＳから引き抜き難くなるようなこともない。
【００３８】
以上に述べたように、この発明のゴルフクラブ用グリップは、シャフトに装着する場合も、シャフトから脱着する場合も、その操作が行い難くなるようなことはなく、さらにシャフト内に雨水などの水分が入るようなことはなく、スイングに支障をきたすことがなく、シャフトが劣化したりするようなこともないものとなる。
【符号の説明】
【００３９】
１  グリップ本体
１ａ  グリップエンド
１ｂ  グリップヘッド
２  シャフト挿入孔
３  当接部
５  エア抜き孔
７  栓体
Ｌ  距離
Ｓ  シャフト
【図１】
2019130205.tif 000003
【図２】
2019130205.tif 000004
【図３】
2019130205.tif 000005
【図４】
2019130205.tif 000006
【図５】
2019130205.tif 000007
【図６】
2019130205.tif 000008
【図７】
2019130205.tif 000009
【図８】
2019130205.tif 000010
【図９】
2019130205.tif 000011
【図１０】
2019130205.tif 000012
【図１１】
2019130205.tif 000013
【図１２】
2019130205.tif 000014
【図１３】
2019130205.tif 000015